(57)【要約】      （修正有）【課題】握力の弱い子供や老人、リューマチを患わっている人でも食器を容易かつ効率的、そして安全に洗うことができる食器洗い用具を提供する。【解決手段】手の指を直接挿入して使用する食器洗い用具１００であって、指が複数本挿入可能な袋１０と、袋の口２０に設けられた留め具３０とを備え、袋の深さは、指の長さと略同じであり、袋は手の甲６０を覆わないことを特徴とする。【選択図】図２
0003222033.tif 000002
【実用新案登録請求の範囲】
【請求項１】
手の指を直接挿入して使用する食器洗い用具であって、
前記指が複数本挿入可能な袋と、
前記袋の口に設けられた留め具とを備え、
前記袋の深さは、前記指の長さと略同じであり、
前記袋は手の甲を覆わないことを特徴とする食器洗い用具。
【請求項２】
前記袋の中には、３本の指がそれぞれ独立して挿入可能となるよう、１つ又は２つの敷居が設けられていることを特徴とする請求項１に記載の食器洗い用具。
【請求項３】
前記袋の中には、前記袋が外れることを防止するための、前記袋の口と平行方向に突起が設けられていることを特徴とする請求項１又は２に記載の食器洗い用具。
【請求項４】
前記袋は、リサイクル品であることを特徴とする請求項１〜３のいずれか１項に記載の食器洗い用具。
【請求項５】
前記袋は、繊維であることを特徴とする請求項１〜４のいずれか１項に記載の食器洗い用具。
【請求項６】
前記留め具は、ゴムであることを特徴とする請求項１〜５のいずれか１項に記載の食器洗い用具。
【請求項７】
親指及び小指をかける輪状留め具をさらに備えることを特徴とする請求項１〜６のいずれか１項に記載の食器洗い用具。
【考案の詳細な説明】
【技術分野】
【０００１】
本考案は、指を直接挿入して使用する食器洗い用具に関する。
【背景技術】
【０００２】
従来より、食器などを洗うには食器用スポンジなどが用いられる。
【０００３】
例えば特許文献１では、形状追従性のよい洗浄用スポンジを提供するために、互いに連通するセルを有する軟質ポリウレタンフォームからなり、アスカーＦ硬度が４０度〜８５度の範囲に設定された第１層と、互いに連通する孔を有する多孔体からなり、前記第１層よりも柔らかく設定された第２層とを備え、前記第１層は、該第１層と前記第２層との積層方向と直交する面に存在するセルの数よりも、該積層方向に沿った面に存在するセルの数が多くなっていることを特徴とする洗浄用スポンジが記載されている。
【先行技術文献】
【特許文献】
【０００４】
【特許文献１】特開２０１９−０１７９４８号公報
【考案の概要】
【考案が解決しようとする課題】
【０００５】
しかしながら、従来の食器用スポンジなどの用具では、握力が弱い例えば子供や老人、リューマチを患わっている人にとっては、片手にスポンジを持ちもう一方の片手に食器を持ち洗うことが困難であり、通常洗剤を使用するので滑りやすくなっているため、食器を容易かつ効率的に洗うことはできない。また、食器を落として破損したり、ケガをしてしまう場合もある。
【０００６】
そこで、本考案は、握力の弱い子供や老人、リューマチを患わっている人でも食器を容易かつ効率的、そして安全に洗うことができる食器洗い用具を提供することを目的とする。
【課題を解決するための手段】
【０００７】
本考案の一態様に係る食器洗い用具は、手の指を直接挿入して使用する食器洗い用具であって、前記指が複数本挿入可能な袋と、前記袋の口に設けられた留め具とを備え、前記袋の深さは、前記指の長さと略同じであり、前記袋は手の甲を覆わないことを特徴とする。
【０００８】
このようにすれば、握力の弱い子供や老人、リューマチを患わっている人でも食器を容易かつ効率的、そして安全に洗うことができる食器洗い用具を提供することができる。
【０００９】
このとき、本考案の一態様では、前記袋の中には、３本の指がそれぞれ独立して挿入可能となるよう、１つ又は２つの敷居が設けられていても良い。
【００１０】
このようにすれば、袋の口と平行方向に動かして食器を洗うときに、指と袋とのズレや袋のみの回転を防止できるので、食器をより容易かつ効率的、そして安全に洗うことができる。
【００１１】
このとき、本考案の一態様では、前記袋の中には、前記袋が外れることを防止するための、前記袋の口と平行方向に突起が設けられていても良い。
【００１２】
このようにすれば、袋の口と垂直方向に動かして食器を洗うときに、指と袋とのズレを防止でき、かつより力を入れることができるので、食器をより容易かつ効率的、そして安全に洗うことができる。
【００１３】
また、本考案の一態様では、前記袋は、リサイクル品としてもよい。
【００１４】
このようにすれば、省エネルギー化につながる。
【００１５】
また、本考案の一態様では、前記袋は、繊維としても良い。
【００１６】
このようにすれば、食器洗い用具の作成が容易である。
【００１７】
また、本考案の一態様では、前記留め具は、ゴムとしても良い。
【００１８】
このようにすれば、留める機能を向上させることができる。
【００１９】
また、本考案の一態様では、親指及び小指をかける輪状留め具をさらに備えるとしても良い。
【００２０】
このようにすれば、さらに留める機能を向上させることができる。
【考案の効果】
【００２１】
以上説明したように本考案によれば、握力の弱い子供や老人、リューマチを患わっている人でも食器を容易かつ効率的、そして安全に洗うことができる食器洗い用具を提供することができる。
【図面の簡単な説明】
【００２２】
【図１】図１は、本考案の一実施形態に係る食器洗い用具を示す概略図である。
【図２】図１は、本考案の一実施形態に係る食器洗い用具を手の指に装着したときの概略図である。
【考案を実施するための形態】
【００２３】
以下、図面を参照して、本考案の好適な実施の形態について詳細に説明する。なお、以下に説明する本実施形態は、実用新案登録請求の範囲に記載された本考案の内容を不当に限定するものではなく、本実施形態で説明される構成の全てが本考案の解決手段として必須であるとは限らない。
【００２４】
図１及び図２に示すように、本考案の一実施形態に係る食器洗い用具１００は、手の指を直接挿入して使用する。そして、上記指が複数本挿入可能な袋１０と、上記袋１０の口２０に設けられた留め具３０とを備えている。また、上記袋１０の深さは、上記指の長さと略同じであり、上記袋は手の甲６０を覆わないことを特徴とする。以下詳細に説明する。
【００２５】
本考案の一実施形態に係る食器洗い用具１００は、指を直接挿入して使用する。手の全体は挿入しない。このようにすることで、従来のスポンジよりも手と食器洗い用具１００とが追従できる。また、留め具３０を有するので、袋１０から手や指が外れることを防止できる。
【００２６】
上記袋１０の深さは、上記指の長さと略同じであるので、袋の深さは指の長さ±１〜２ｃｍである。また、子供、大人のそれぞれ指の長さに合った袋の深さとなる。また、袋１０の深さは、手の甲６０まで届かない程度であり、袋１０は手の甲６０を覆わない。これは、親指７１と小指７５を袋１０から出し、人差し指７２、中指７３、薬指７４を袋１０の中に入れるためであり、袋１０が深すぎると、食器洗い用具１００が指に密着せず脱げやすくなるからである。
【００２７】
本考案の一実施形態に係る食器洗い用具１００は、手の指のみを直接挿入する。また、数本の指を袋１０に挿入し、数本の指を袋１０から露出させることが好ましい。例えば、人差し指７２、中指７３及び薬指７４を袋１０の中に挿入し、親指７１及び小指７５は袋１０から露出させて使用することが好ましい。このようにすれば、人差し指７２、中指７３及び薬指７４に当たる袋部分で食器を洗い、親指７１及び小指７５で食器を支えることを補助することができ、より容易かつ効率的、そして安全に洗うことができる。
【００２８】
親指７１及び小指７５が袋１０から露出して使用できるよう、袋の口２０の周辺に親指７１及び小指７５露出用の穴（不図示）を設けることも好ましい。このようにすれば、袋１０から脱げにくくなる。
【００２９】
また、袋１０の中には、３本の指がそれぞれ独立して挿入可能となるよう、１つ又は２つの敷居４０が設けられていることが好ましい。つまり、３本の指が１本ずつ入る部屋を設ける。このようにすれば、袋の口２０と平行方向（図１及び図２で言うと、ｘ方向）に動かして食器を洗うときに、指と袋とのズレや袋のみの回転を防止できるので、食器をより容易かつ効率的、そして安全に洗うことができる。
【００３０】
敷居４０は、袋１０をｙ方向に縫い付け設けても良く、別な生地を用いて敷居を設けても良い。この場合、敷居４０は、袋１０をｙ方向に縫い付け設けた方が簡単なため好ましい。
【００３１】
さらに、袋１０の中には、袋１０が食器を洗うときに外れることを防止するための、袋の口２０と平行方向（図１及び図２で言うと、ｘ方向）に突起５０が設けられていることが好ましい。このようにすれば、袋の口２０と垂直方向（図１及び図２で言うと、ｙ方向）に動かして食器を洗うときに、指と袋とのズレを防止でき、かつより力を入れることができるので、食器をより容易かつ効率的、そして安全に洗うことができる。
【００３２】
袋１０は、リサイクル品であることが好ましい。このようにすれば、省エネルギー化につながる。例えばリサイクル品とは、不要になった手袋、服、布等が挙げられる。但しこれに限定されず、袋状にできるものであればよい。
【００３３】
袋は、繊維であることが好ましい。このようにすれば、食器洗い用具の作成が容易である。例えば繊維とは、天然繊維、化学繊維が挙げられる。
【００３４】
天然繊維としては、吸湿性がある綿、通気性が良い麻、光沢がありしなやかなシルク、弾力性があるウール、テンセルなどが挙げられる。化学繊維としては、光沢があり、肌触りが良いレーヨン、吸湿性がよく、縮みにくいキュプラ、ポリノジック、光沢があるアセテート、弾性に富むトリアセテート、光沢があるプロミックス、防カビ性があるアクリル、耐久性に富むポリエステル、弾性が強いナイロン、伸縮性が大きく耐久性に富むポリウレタンなどが挙げられる。
【００３５】
留め具３０は、ゴム又は紐でも良く、ゴムであることが好ましい。ゴムにすれば、留める機能を向上させることができる。図１のように、留め具３０をゴム又は紐を用いた場合、袋１０に編み込ませると良い。その他、留め具３０は、クリップやボタンを用いても良い。この場合、袋１０の横を止める。
【００３６】
また、留め具３０は、図１及び図２に示すように、親指及び小指をかける輪状留め具３１をさらに備えることが好ましい。例えば留め具３０を長くして袋１０から出し、親指及び小指をかける輪状留め具３１を設ければ良い。親指及び小指をかける輪状留め具３１をさらに備えることで、多少指の長さが食器洗い用具１００と合わなくても、食器洗い用具１００が外れにくくなり、より食器を容易かつ効率的、そして安全に洗うことができる。なお、輪状留め具３１は、ゴム又は紐でも良く、ゴムであることが好ましい。
【００３７】
以上より、本考案によれば、握力の弱い子供や老人、リューマチを患わっている人でも食器を容易かつ効率的、そして安全に洗うことができる食器洗い用具を提供することができる。
【００３８】
なお、上記のように本考案の各実施形態及び各実施例について詳細に説明したが、本考案の新規事項及び効果から実体的に逸脱しない多くの変形が可能であることは、当業者には、容易に理解できるであろう。従って、このような変形例は、全て本考案の範囲に含まれるものとする。
【００３９】
例えば、明細書又は図面において、少なくとも一度、より広義又は同義な異なる用語と共に記載された用語は、明細書又は図面のいかなる箇所においても、その異なる用語に置き換えることができる。また、食器洗い用具の構成、動作も本考案の各実施形態及び各実施例で説明したものに限定されず、種々の変形実施が可能である。
【符号の説明】
【００４０】
１０  袋、２０  袋の口、３０  留め具、３１  輪状留め具、４０  敷居、５０  突起、６０  手の甲、７１  親指、７２  人差し指、７３  中指、７４  薬指、７５  小指、１００  食器洗い用具
【図１】
0003222033.tif 000003
【図２】
0003222033.tif 000004